(57)【要約】【課題】原稿の重送を抑制しつつ、原稿を円滑に給送できる【解決手段】画像形成装置１００は、画像形成ユニット１、画像読取ユニット２、及び、原稿搬送ユニット３を備える。原稿搬送ユニット３は、ピックアップローラー３１、及び給送部３２を備える。給送部３２は、第１給送ローラー３２１、捌きパッド３２２、前捌きローラー４２、及び第２給送ローラー４１を備える。第１給送ローラー３２１は、原稿Ｒを給送する。捌きパッド３２２は、第１給送ローラー３２１に圧接され、原稿Ｒを捌く。前捌きローラー４２は、捌きパッド３２２よりも原稿Ｒの給送方向の上流に位置し、原稿Ｒを捌く。第２給送ローラー４１は、第１給送ローラー３２１と前捌きローラー４２との間に位置する。第２給送ローラー４１は、第１給送ローラー３２１との間で原稿Ｒを挟んで原稿Ｒを給送する。【選択図】図３
2017206336.tif 000002
【特許請求の範囲】
【請求項１】
記録媒体を給送する第１給送部材と、
前記第１給送部材に圧接され、前記記録媒体を捌く捌き部材と、
前記捌き部材よりも前記記録媒体の給送方向の上流に位置し、前記記録媒体を捌く前捌きローラーと、
前記第１給送部材と前記前捌きローラーとの間に位置する第２給送ローラーと
を備え、
前記第２給送ローラーは、前記第１給送部材との間で前記記録媒体を挟んで前記記録媒体を給送する、給送装置。
【請求項２】
前記第２給送ローラーと前記記録媒体との接触位置で、前記第２給送ローラーの回転方向が前記給送方向を向くように、前記第２給送ローラーが回転する、請求項１に記載の給送装置。
【請求項３】
前記第２給送ローラーを前記第１給送部材に近付ける向きに付勢する第１付勢部材を更に備え、
前記第２給送ローラーは、前記第１給送部材に従動して回転する、請求項１又は請求項２に記載の給送装置。
【請求項４】
第１支点を中心に回動する第１支持部材を更に備え、
前記第１支持部材は、前記第１支点から離間した位置で前記第２給送ローラーを回動自在に支持し、
前記第１付勢部材は、前記第１支持部材を前記第１給送部材に近付ける向きに付勢する、請求項３に記載の給送装置。
【請求項５】
前記第２給送ローラーの回転トルクが所定値未満である場合に、前記第２給送ローラーの回転を停止するトルクリミッターを更に備える、請求項１から請求項４のいずれか１項に記載の給送装置。
【請求項６】
前記前捌きローラーと前記記録媒体との接触位置で、前記前捌きローラーの回転方向が前記給送方向の逆方向を向くように、前記前捌きローラーが回転する、請求項１から請求項５のいずれか１項に記載の給送装置。
【請求項７】
前記前捌きローラーを前記第２給送ローラーに近付ける向きに付勢する第２付勢部材を更に備え、
前記前捌きローラーは、前記第２給送ローラーに従動して回転する、請求項１から請求項６のいずれか１項に記載の給送装置。
【請求項８】
第２支点を中心に回動する第２支持部材を更に備え、
前記第２支持部材は、前記第２支点から離間した位置で前記前捌きローラーを回動自在に支持し、
前記第２付勢部材は、前記第２支持部材を前記第２給送ローラーに近付ける向きに付勢する、請求項７に記載の給送装置。
【請求項９】
前記前捌きローラーの周面の摩擦係数は、前記第２給送ローラーの周面の摩擦係数よりも大きい、請求項１から請求項８のいずれか１項に記載の給送装置。
【請求項１０】
記録媒体に画像を形成する画像形成部と、
請求項１から請求項９のいずれか１項に記載の給送装置と
を備える、画像形成装置。
【発明の詳細な説明】
【技術分野】
【０００１】
本発明は、給送装置、及び画像形成装置に関する。
【背景技術】
【０００２】
特許文献１に記載の給紙装置は、捌きパッド、前捌きローラー、及びピックアップローラーを備える。ピックアップローラーによって送り出された複数の用紙は、前捌きローラーに接触する。前捌きローラーは、捌きパッドに対して、用紙搬送方向の上流側に配置される。また、前捌きローラーは、用紙搬送方向の下流側から上流側に用紙を搬送する方向にのみ回転する。そして、複数の用紙は、前捌きローラーによってほぼ分離された状態になり、捌きパッドと給送ローラーとの間のニップ部へ搬送される。よって、用紙の重送が抑制される。
【先行技術文献】
【特許文献】
【０００３】
【特許文献１】特開２００６−２９８５２５号公報
【発明の概要】
【発明が解決しようとする課題】
【０００４】
しかしながら、特許文献１に記載の画像形成装置では、用紙の種類によっては、用紙を円滑に搬送できない可能性がある。例えば、用紙が厚紙である場合には、用紙の重量が大きいため、前捌きローラーから用紙に対して、用紙搬送方向と逆方向に作用する力が増大する。したがって、給送ローラーと捌きパッドとの間のニップ部へ用紙を円滑に搬送できない可能性がある。
【０００５】
本発明は、上記課題に鑑みてなされたものであり、記録媒体の重送を抑制しつつ、記録媒体を円滑に給送できる給送装置、及び画像形成装置を提供することを目的としている。
【課題を解決するための手段】
【０００６】
本発明に係る給送装置は、第１給送部材、捌き部材、前捌きローラー、及び第２給送ローラーを備える。前記第１給送部材は、記録媒体を給送する。前記捌き部材は、前記第１給送部材に圧接され、前記記録媒体を捌く。前記前捌きローラーは、前記捌き部材よりも前記記録媒体の給送方向の上流に位置し、前記記録媒体を捌く。前記第２給送ローラーは、前記第１給送部材と前記前捌きローラーとの間に位置する。前記第２給送ローラーは、前記第１給送部材との間で前記記録媒体を挟んで前記記録媒体を給送する。
【０００７】
本発明に係る画像形成装置は、前記給送装置、及び画像形成部を備える。前記画像形成部は、記録媒体に画像を形成する。
【発明の効果】
【０００８】
本発明の給送装置、及び画像形成装置によれば、記録媒体の重送を抑制しつつ、記録媒体を円滑に給送できる。
【図面の簡単な説明】
【０００９】
【図１】本発明の実施形態に係る画像形成装置の構成を示す図である。
【図２】画像読取ユニット、及び原稿搬送ユニットの構成を示す図である。
【図３】給送部の構成を示す図である。
【図４】（ａ）前捌きローラー及び第２給送ローラーを示す正面図である。（ｂ）前捌きローラー及び第２給送ローラーを示す側面図である。
【図５】枠体を示す側面図である。
【図６】本発明の実施形態の変形例に係る前捌きローラー及び第２給送ローラーを示す側面図である。
【発明を実施するための形態】
【００１０】
以下、本発明の実施形態について、図面（図１〜図６）を参照しながら説明する。なお、図中、同一又は相当部分については同一の参照符号を付して説明を繰り返さない。
【００１１】
まず、図１を参照して、本発明の実施形態に係る画像形成装置１００について説明する。図１は、画像形成装置１００の構成を示す図である。図１に示すように、画像形成装置１００は複合機である。画像形成装置１００は、画像形成ユニット１、画像読取ユニット２、及び原稿搬送ユニット３を備える。
【００１２】
画像形成ユニット１は、記録媒体の一例である用紙Ｐに画像を形成する。画像読取ユニット２は、原稿Ｒに形成された画像を読み取る。原稿搬送ユニット３は、原稿Ｒを画像読取ユニット２に搬送する。原稿Ｒは、「記録媒体」の一例に相当する。原稿搬送ユニット３は、例えば、ＡＤＦ（Ａｕｔｏ  Ｄｏｃｕｍｅｎｔ  Ｆｅｅｄｅｒ）である。
【００１３】
また、画像形成ユニット１は、給送カセット１１、搬送ローラー対１２、画像形成部１３、定着部１４、排出ローラー対１５、及び、排出トレイ１６を備える。給送カセット１１から繰り出された用紙Ｐは、搬送ローラー対１２によって画像形成部１３まで搬送される。
【００１４】
画像形成部１３は、用紙Ｐに画像を形成する。具体的には、画像形成部１３は、感光体ドラム、帯電部、露光部、現像部、転写部、クリーニング部、及び除電部を含む。感光体ドラム、帯電部、露光部、現像部、及び転写部によって、用紙Ｐに画像が形成される。
【００１５】
定着部１４は、用紙Ｐに形成された画像を用紙Ｐに定着する。排出ローラー対１５は、用紙Ｐを排出トレイ１６へ排出する。
【００１６】
次に、図２を参照して、画像読取ユニット２、及び原稿搬送ユニット３について説明する。図２は、画像読取ユニット２、及び原稿搬送ユニット３の構成を示す図である。図２に示すように、画像読取ユニット２は、原稿自動読取用ガラス２１１、原稿載置用ガラス２１２、及び画像読取部２２を備えている。
【００１７】
画像読取部２２は、原稿自動読取用ガラス２１１又は原稿載置用ガラス２１２を介して原稿Ｒの画像を読み取る。具体的には、画像読取部２２は、ＬＥＤ（Ｌｉｇｈｔ  Ｅｍｉｔｔｉｎｇ  Ｄｉｏｄｅ）のような発光部と、イメージセンサーのような撮像部とを備える。画像読取部２２は、本実施形態では、ＣＩＳ（Ｃｏｎｔａｃｔ  Ｉｍａｇｅ  Ｓｅｎｓｏｒ）ユニットである。なお、ＣＩＳユニットに換えて、ＣＣＤ（Ｃｈａｒｇｅ  Ｃｏｕｐｌｅｄ  Ｄｅｖｉｃｅ）センサー、及びレンズ系を設けてもよい。
【００１８】
画像読取ユニット２は、フラットベッド読取モードとＡＤＦ読取モードとを有する。フラットベッド読取モードでは、画像読取部２２は、副走査方向に移動しながら、原稿載置用ガラス２１２上に載置された原稿Ｒの画像を読み取る。副走査方向は、主走査方向と直交する方向を示す。ＡＤＦ読取モードでは、画像読取部２２は、原稿搬送ユニット３によって搬送された原稿Ｒの画像を、原稿自動読取用ガラス２１１を介して読み取る。以下の説明では、ＡＤＦ読取モードで原稿Ｒの画像を読み取る場合について説明する。
【００１９】
原稿搬送ユニット３は、原稿トレイ３０、ピックアップローラー３１、給送部３２、レジストローラー対３３、搬送ローラー対３５、排出ローラー対３６、及び原稿排出トレイ３７を備えている。破線矢印Ａは、原稿Ｒの搬送経路を示す。原稿搬送ユニット３は、「給送装置」の一例に相当する。
【００２０】
原稿トレイ３０には、複数枚の原稿Ｒ（図１参照）が載置される。ピックアップローラー３１は、複数枚の原稿Ｒのうちの最上部の原稿Ｒを１枚ずつ給送部３２に向けて繰り出す。ピックアップローラー３１は、原稿Ｒの後端を繰り出してから予め定められた時間が経過した後に、次の原稿Ｒの繰り出しを開始する。給送部３２は、レジストローラー対３３に原稿Ｒを給送する。
【００２１】
レジストローラー対３３は、所定のタイミングで原稿自動読取用ガラス２１１に向けて原稿Ｒを送出する。原稿Ｒが原稿自動読取用ガラス２１１を通過するときに、原稿Ｒに形成された画像が画像読取ユニット２によって読み取られる。そして、搬送ローラー対３５は、原稿Ｒを排出ローラー対３６に搬送する。更に、排出ローラー対３６は、原稿Ｒを原稿排出トレイ３７に排出する。
【００２２】
次に、図３を参照して、給送部３２について説明する。図３は、給送部３２の構成を示す図である。図３に示すように、給送部３２は、第１給送ローラー３２１、捌きパッド３２２、第２給送ローラー４１、前捌きローラー４２、及び案内板４３を備える。
【００２３】
第１給送ローラー３２１は、モーター（図示省略）によって駆動され、回転方向Ａ１に回転する。回転方向Ａ１は、図３では、時計回りを示す。第１給送ローラー３２１は、「第１給送部材」の一例に相当する。捌きパッド３２２は第１給送ローラー３２１に当接する。捌きパッド３２２は、「捌き部材」の一例に相当する。第２給送ローラー４１は第１給送ローラー３２１に当接する。したがって、第２給送ローラー４１は、第１給送ローラー３２１に従動し、回転方向Ａ２に回転する。回転方向Ａ２は、回転方向Ａ１の逆方向を示し、図３では、反時計回りを示す。前捌きローラー４２は第２給送ローラー４１に当接する。したがって、前捌きローラー４２は、第２給送ローラー４１に従動し、回転方向Ａ３に回転する。回転方向Ａ３は、回転方向Ａ２の逆方向を示し、図３では、時計回りを示す。
【００２４】
以下、前捌きローラー４２及び捌きパッド３２２による原稿Ｒの捌き動作について説明する。
【００２５】
ピックアップローラー３１は、原稿Ｒに当接する位置まで下降して、最上部の原稿Ｒを１枚ずつ給送部３２に向けて繰り出す。案内板４３は、ピックアップローラー３１によって繰り出された原稿Ｒを前捌きローラー４２に案内する。ただし、ピックアップローラー３１によって原稿Ｒが重送される場合がある。そこで、前捌きローラー４２が設けられる。
【００２６】
前捌きローラー４２は、捌きパッド３２２よりも原稿Ｒの給送方向の上流に位置する。前捌きローラー４２は、ピックアップローラー３１によって繰り出された原稿Ｒを捌き、原稿Ｒの重送を抑制する。例えば、原稿Ｒ１と原稿Ｒ２とが重なって前捌きローラー４２に供給された場合に、下側の原稿Ｒ２が上側の原稿Ｒ１から分離されるように、前捌きローラー４２は、原稿Ｒ２が給送方向Ｂ１に送出されることを抑制する。一方、上側の原稿Ｒ１は、ピックアップローラー３１によって給送方向Ｂ１に送出される。
【００２７】
具体的には、前捌きローラー４２と原稿Ｒ２との接触位置Ｔ２で、前捌きローラー４２の回転方向Ａ３が給送方向Ｂ１の逆方向Ｂ２を向くように、前捌きローラー４２が回転する。したがって、原稿Ｒ２には、逆方向Ｂ２を向いた力が作用するため、給送方向Ｂ１への原稿Ｒ２の送出が抑制される。具体的には、前捌きローラー４２は、原稿Ｒ２の速度を減少させるか、原稿Ｒ２を保持するか、又は原稿Ｒ２を給送方向Ｂ１の逆方向Ｂ２に押し戻す。その結果、原稿Ｒ２は、原稿Ｒ１から分離され、重送が抑制される。前捌きローラー４２の周面の摩擦係数は、第２給送ローラー４１の周面の摩擦係数よりも大きい。例えば、前捌きローラー４２の周面は、ゴムで形成されている。
【００２８】
第２給送ローラー４１は、第１給送ローラー３２１と前捌きローラー４２との間に位置し、第１給送ローラー３２１に対向する。第２給送ローラー４１と原稿Ｒ１との接触位置Ｔ１で、第２給送ローラー４１の回転方向Ａ２が給送方向Ｂ１を向くように、第２給送ローラー４１が回転する。また、第２給送ローラー４１は、第１給送ローラー３２１と第２給送ローラー４１との間のニップ部Ｎ１で原稿Ｒ１を挟んで原稿Ｒ１を給送する。したがって、第２給送ローラー４１は、第１給送ローラー３２１と協働して、第１給送ローラー３２１と捌きパッド３２２との間のニップ部Ｎ２に向けて原稿Ｒ１を給送する。
【００２９】
ただし、前捌きローラー４２によって原稿Ｒ１と原稿Ｒ２とが充分に分離されずに、第２給送ローラー４１に供給される場合がある。この場合には、原稿Ｒ２と第１給送ローラー３２１との間に原稿Ｒ１があるため、原稿Ｒ２は第１給送ローラー３２１と接触しない。したがって、第１給送ローラー３２１の回転力は第２給送ローラー４１に伝達されないため、第２給送ローラー４１は第１給送ローラー３２１に従動しない。本実施形態では、第２給送ローラー４１が停止する。その結果、第２給送ローラー４１は原稿Ｒ２を給送方向Ｂ１に送出しない。
【００３０】
具体的には、第２給送ローラー４１は、原稿Ｒ２の速度を減少させるか、又は原稿Ｒ２を保持する。その結果、原稿Ｒ２が原稿Ｒ１から分離され、重送が更に抑制される。一方、原稿Ｒ１は、第１給送ローラー３２１によってニップ部Ｎ２に向けて給送される。
【００３１】
ただし、第２給送ローラー４１によって原稿Ｒ１と原稿Ｒ２とが充分に分離されずに、ニップ部Ｎ２に供給される場合がある。そこで、捌きパッド３２２が設けられる。
【００３２】
捌きパッド３２２は第１給送ローラー３２１に対向する。捌きパッド３２２は、付勢部材（図示省略）によって、第１給送ローラー３２１に向けて付勢され、第１給送ローラー３２１に当接する。例えば、捌きパッド３２２の表面のうち原稿Ｒに接触する面は、ゴムで形成されている。
【００３３】
捌きパッド３２２は、原稿Ｒを捌き、原稿Ｒの重送を更に抑制する。具体的には、捌きパッド３２２は、原稿Ｒ２が原稿Ｒ１から分離されるように、原稿Ｒ２の速度を減少させるか、又は原稿Ｒ２を保持する。一方、原稿Ｒ１は、第１給送ローラー３２１によって給送方向Ｂ１に給送される。捌きパッド３２２は、「捌き部材」の一例に相当する。
【００３４】
第１給送ローラー３２１は、原稿Ｒ１を画像読取ユニット２に向けて給送する。
【００３５】
以上、図１〜図３を参照して説明したように、本実施形態によれば、前捌きローラー４２が原稿Ｒを捌くため、原稿Ｒの重送を抑制できる。加えて、第２給送ローラー４１がニップ部Ｎ１で原稿Ｒを挟んで原稿Ｒを給送する。したがって、第２給送ローラー４１を設けない場合と比較して、原稿Ｒに加えられる給送方向Ｂ１の力が増大する。その結果、前捌きローラー４２を備えていても、原稿Ｒを円滑に給送できる。つまり、原稿Ｒの重送を抑制しつつ、原稿Ｒを円滑に給送できる。例えば、原稿Ｒが厚紙であっても、原稿Ｒの重送を抑制しつつ、原稿Ｒを円滑に給送できる。
【００３６】
また、ニップ部Ｎ１に原稿Ｒが重送された場合でも、第２給送ローラー４１が原稿Ｒを捌く。したがって、原稿Ｒの重送を更に抑制できる。
【００３７】
更に、ニップ部Ｎ２に原稿Ｒが重送された場合でも、捌きパッド３２２が原稿Ｒを捌く。したがって、原稿Ｒの重送を更に抑制できる。
【００３８】
また、本実施形態によれば、接触位置Ｔ１で第２給送ローラー４１の回転方向Ａ２が給送方向Ｂ１を向くように、第２給送ローラー４１が回転する。よって、第２給送ローラー４１は、接触位置Ｔ１で原稿Ｒ１に対して給送方向Ｂ１の力を付与し、原稿Ｒ１をニップ部Ｎ２に向けて給送する。したがって、前捌きローラー４２を設けていても、原稿Ｒ１を更に円滑に給送できる。
【００３９】
更に、本実施形態によれば、接触位置Ｔ２で前捌きローラー４２の回転方向Ａ３が給送方向Ｂ１の逆方向Ｂ２を向くように、前捌きローラー４２が回転する。よって、前捌きローラー４２は、接触位置Ｔ２で原稿Ｒ２に対して逆方向Ｂ２の力を付与する。したがって、原稿Ｒ２が原稿Ｒ１から更に効果的に分離され、重送を更に効果的に抑制できる。
【００４０】
また、前捌きローラー４２の周面の摩擦係数が、第２給送ローラー４１の周面の摩擦係数よりも大きいため、前捌きローラー４２から原稿Ｒ２に作用する逆方向Ｂ２の力を増大できる。よって、原稿Ｒ２が原稿Ｒ１から更に効果的に分離され、重送を更に効果的に抑制できる。
【００４１】
次に、図４（ａ）及び図４（ｂ）を参照して、前捌きローラー４２及び第２給送ローラー４１について説明する。図４（ａ）は、前捌きローラー４２及び第２給送ローラー４１を示す正面図である。図４（ｂ）は、前捌きローラー４２及び第２給送ローラー４１を示す側面図である。
【００４２】
図４（ａ）及び図４（ｂ）に示すように、給送部３２は、第１支持部材５１、第２支持部材５２、軸部材５３、一対の第１付勢部材６１、一対の第２付勢部材６２、枠体４４、及びトルクリミッター４１２を更に備える。
【００４３】
第１支持部材５１は、略Ｕ字状の板状部材である。第１支持部材５１は、第１支点Ｖ１を中心に回動する。第１支点Ｖ１は、軸部材５３の中心軸の位置を示す。第１支持部材５１の下端部には、第１孔部５１１が形成され、第１支持部材５１の上端部には、第２孔部５１２が形成される。第１支持部材５１の上下方向の中央部には、第３孔部５１３が形成されている。軸部材５３は、第１孔部５１１に挿通される。
【００４４】
第１支持部材５１は、第１支点Ｖ１から離間した位置で第２給送ローラー４１を回動自在に支持する。具体的には、第２給送ローラー４１の軸部４１１は、第２孔部５１２に挿通されている。第２給送ローラー４１は、第２孔部５１２の周面に回動自在に支持される。
【００４５】
第１付勢部材６１は、第２給送ローラー４１を第１給送ローラー３２１に近付ける向きに付勢する。例えば、第１付勢部材６１は、軸部材５３に挿通された巻きバネである。第１付勢部材６１の一方端部６１１は第３孔部５１３に挿通され、第１支持部材５１に固定されている。一方端部６１１は、本実施形態では、上端部である。第１付勢部材６１の他方端部６１２は、枠体４４の底部の側面４４ｂに当接している。側面４４ｂは、軸部材５３から離間する側（図３に示す原稿Ｒの給送方向Ｂ１の上流側）の側面である。他方端部６１２は、本実施形態では、下端部である。
【００４６】
第１付勢部材６１の一方端部６１１は、第３孔部５１３の周面を介して、第１支持部材５１の上端部を第１給送ローラー３２１に近付ける向きに付勢する。このようにして、第１付勢部材６１は、第２給送ローラー４１を第１給送ローラー３２１に近づける向きに付勢する。
【００４７】
第２給送ローラー４１は、第１給送ローラー３２１に従動して回転する。すなわち、第２給送ローラー４１が第１給送ローラー３２１に近づける向きに付勢されるため、第２給送ローラー４１の周面は、第１給送ローラー３２１の周面に当接する。したがって、第２給送ローラー４１は、第１給送ローラー３２１に従動して回転する。
【００４８】
第２給送ローラー４１の軸部４１１には、トルクリミッター４１２が配置されている。トルクリミッター４１２は、第２給送ローラー４１の回転トルクＴＲが所定値ＴＲＳ未満である場合に、第２給送ローラー４１の回転を停止する。つまり、トルクリミッター４１２は、回転トルクＴＲが所定値ＴＲＳ未満である場合に、第２給送ローラー４１を回転不可に支持する。トルクリミッター４１２は、回転トルクＴＲが所定値ＴＲＳ以上である場合に、第２給送ローラー４１を回転自在に支持する。
【００４９】
具体的には、第２給送ローラー４１と第１給送ローラー３２１との間に複数枚の原稿Ｒが供給された場合には、第２給送ローラー４１及び軸部４１１には、第１給送ローラー３２１の回転力が伝達されない。よって、軸部４１１に作用する回転トルクＴＲが所定値ＴＲＳ未満になる。したがって、トルクリミッター４１２は軸部４１１を回転不可に支持するため、第２給送ローラー４１は停止する。その結果、複数枚の原稿Ｒのうち、最上層の原稿Ｒから下層の原稿Ｒが分離され、原稿Ｒの重送を更に抑制できる。
【００５０】
一方、第２給送ローラー４１と第１給送ローラー３２１との間に１枚の原稿Ｒが供給された場合には、第２給送ローラー４１及び軸部４１１には、第１給送ローラー３２１の回転力が原稿Ｒを介して伝達される。よって、軸部４１１に作用する回転トルクＴＲが所定値ＴＲＳ以上になる。したがって、トルクリミッター４１２は軸部４１１を回転自在に支持するため、第２給送ローラー４１は第１給送ローラー３２１に従動して回転する。その結果、１枚の原稿Ｒが円滑に給送される。
【００５１】
第２支持部材５２は、略Ｕ字状に形成された板状部材である。第２支持部材５２は、第２支点Ｖ２を中心に回動する。第２支持部材５２は、第１支持部材５１の幅方向（図４（ａ）の左右方向）及び上下方向の内側に配置されている。すなわち、第２支持部材５２の幅方向の長さは、第１支持部材５１の幅方向の長さより小さく、第２支持部材５２の上下方向の長さは、第１支持部材５１の上下方向の長さより小さい。
【００５２】
第２支点Ｖ２は、軸部材５３の中心軸の位置を示し、第１支点Ｖ１の位置と一致する。第２支持部材５２の下端部には、第１孔部５２１が形成され、第２支持部材５２の上端部には、第２孔部５２２が形成されている。軸部材５３は、第１孔部５２１に挿通される。
【００５３】
第２支持部材５２は、第２支点Ｖ２から離間した位置で前捌きローラー４２を回動自在に支持する。具体的には、前捌きローラー４２の軸部４２１は、第２孔部５２２に挿通されている。すなわち、前捌きローラー４２は、第２孔部５２２の周面で回動自在に支持される。
【００５４】
第２付勢部材６２は、前捌きローラー４２を第２給送ローラー４１に近付ける向きに付勢する。例えば、第２付勢部材６２は、軸部材５３に挿通された巻きバネである。第２付勢部材６２の一方端部６２１は、第２支持部材５２の側面５２ｂに当接している。側面５２ｂは、第１給送ローラー３２１から離間する側（図３に示す原稿Ｒの給送方向Ｂ１の上流側）の側面である。一方端部６２１は、本実施形態では、上端部である。第２付勢部材６２の他方端部６２２は、第１支持部材５１の底面の側面４４ｂに当接している。他方端部６２２は、本実施形態では、下端部である。
【００５５】
第２付勢部材６２の一方端部６２１が、第２支持部材５２の側面５２ｂを介して、第２支持部材５２の上端側を第２給送ローラー４１に近付ける向きに付勢する。このようにして、第２付勢部材６２は、前捌きローラー４２を第２給送ローラー４１に近付ける向きに付勢する。
【００５６】
前捌きローラー４２は、第２給送ローラー４１に従動して回転する。すなわち、第２付勢部材６２によって前捌きローラー４２が第２給送ローラー４１に近付く向きに付勢されるため、前捌きローラー４２の周面は、第２給送ローラー４１の周面に当接する。したがって、前捌きローラー４２は、第２給送ローラー４１に従動して回転する。
【００５７】
枠体４４は、略Ｕ字状の板状部材である。また、枠体４４は、第２給送ローラー４１、前捌きローラー４２、第１支持部材５１、第２支持部材５２、軸部材５３、第１付勢部材６１、第２付勢部材６２、及びトルクリミッター４１２を収容する。枠体４４は、原稿搬送ユニット３のフレーム７に固定されている。枠体４４は、第１支持部材５１の幅方向（図４（ａ）の左右方向）及び上下方向の外側に配置されている。すなわち、枠体４４の幅方向の長さは、第１支持部材５１の幅方向の長さより大きく、枠体４４の上下方向の長さは、第１支持部材５１の上下方向の長さより大きい。
【００５８】
また、枠体４４の下端部には、孔部４４１が形成されている。孔部４４１には、軸部材５３が挿通される。軸部材５３は、枠体４４の幅方向の外側に突出する。軸部材５３には、枠体４４の幅方向の外側の位置に、抜け止めピン（図示省略）が配置されている。抜け止めピンは、軸部材５３が孔部４４１から抜け落ちることを防止する。
【００５９】
以上、図１〜図４を参照して説明したように、本実施形態によれば、第１付勢部材６１は、第２給送ローラー４１を第１給送ローラー３２１に近付ける向きに付勢する。また、第２給送ローラー４１は、第１給送ローラー３２１に当接し、第１給送ローラー３２１に従動して回転する。よって、第２給送ローラー４１を簡素な構成で駆動できる。すなわち、例えば、第２給送ローラー４１を駆動する駆動源、又は第１給送ローラー３２１を駆動するモーターの駆動力を第２給送ローラー４１に伝達するカム、プーリーのような駆動伝達体を配置する必要がない。
【００６０】
また、第２給送ローラー４１が第１給送ローラー３２１に従動して回転するため、第２給送ローラー４１の周速は、第１給送ローラー３２１の周速と略一致する。したがって、原稿Ｒの給送方向が上方向又は下方向に偏ることなく、スムーズに原稿Ｒを給送できる。
【００６１】
更に、第１支持部材５１は第１支点Ｖ１を中心に回動し、第１支点Ｖ１から離間した位置で第２給送ローラー４１を回動自在に支持する。第１付勢部材６１は、第１支持部材５１を第１給送ローラー３２１に近付ける向きに付勢する。よって、第１付勢部材６１が第１支持部材５１を付勢することによって、第１支持部材５１が回動する。その結果、第２給送ローラー４１が第１給送ローラー３２１に近付ける向きに付勢される。したがって、第２給送ローラー４１を第１給送ローラー３２１に近付ける向きに簡素な構成で付勢できる。
【００６２】
加えて、第２付勢部材６２が前捌きローラー４２を第２給送ローラー４１に近付ける向きに付勢する。前捌きローラー４２は、第２給送ローラー４１に当接し、第２給送ローラー４１に従動して回転する。よって、前捌きローラー４２を簡素な構成で駆動できる。すなわち、例えば、前捌きローラー４２を駆動する駆動源、又は第１給送ローラー３２１を駆動するモーターの駆動力を前捌きローラー４２に伝達するカム、プーリーのような駆動伝達体を配置する必要がない。
【００６３】
また、第２支持部材５２は第２支点Ｖ２を中心に回動し、第２支点Ｖ２から離間した位置で前捌きローラー４２を回動自在に支持する。第２付勢部材６２は、第２支持部材５２を第２給送ローラー４１に近付ける向きに付勢する。よって、第２付勢部材６２が第２支持部材５２を付勢することによって、第２支持部材５２が回動する。その結果、前捌きローラー４２が第２給送ローラー４１に近付く向きに付勢される。したがって、前捌きローラー４２を第２給送ローラー４１に近付ける向きに簡素な構成で付勢できる。
【００６４】
次に、図５を参照して枠体４４について説明する。図５は枠体４４を示す側面図である。図５に示すように、枠体４４の底面には、２本の溝部４４２が形成されている。２本の溝部４４２の各々は、軸部材５３の軸方向と平行に配置されている。また、２本の溝部４４２は、互いに平行に形成される。
【００６５】
２本の溝部４４２は、それぞれ、２本のレール７１と嵌合する。レール７１は、フレーム７の上面に配置され、枠体４４を支持する。また、２本のレール７１の各々は、原稿搬送ユニット３のフレーム７に、軸部材５３の軸方向と平行に固定されている。２本のレール７１は、互いに平行に配置される。
【００６６】
枠体４４は、第２給送ローラー４１、前捌きローラー４２、第１支持部材５１、第２支持部材５２、軸部材５３、一対の第１付勢部材６１、一対の第２付勢部材６２、及びトルクリミッター４１２を収容したまま、レール７１に沿って原稿搬送ユニット３に出入自在である。
【００６７】
図１〜図５を参照して説明したように、枠体４４は、レール７１に沿って出入自在であるため、枠体４４を原稿搬送ユニット３に容易に着脱できる。すなわち、枠体４４を原稿搬送ユニット３から取り外す場合には、枠体４４をレール７１に沿って引き出して、レール７１から離間するように持ち上げる。また、枠体４４を原稿搬送ユニット３に取り付ける場合には、溝部４４２がレール７１に嵌合するように枠体４４をレール７１上に載置して、枠体４４を原稿搬送ユニット３にレール７１に沿って押し込む。
【００６８】
次に、図６を参照して、前捌きローラー４２及び第２給送ローラー４１の変形例について説明する。図６は、変形例に係る前捌きローラー４２及び第２給送ローラー４１を示す側面図である。変形例では、第２支持部材５２Ａの支点（第２支点Ｖ２Ａ）の位置が、図１〜図５に示す実施形態と相違している。図６では、図面の簡略化のため、第１付勢部材６１、第２付勢部材６２を省略している。
【００６９】
具体的には、図１〜図５に示す実施形態では、第２支持部材５２の支点（第２支点Ｖ２）の位置が、第１支持部材５１の支点（第１支点Ｖ１）の位置と一致している。これに対して、図６に示す第２支持部材５２Ａの支点（第２支点Ｖ２Ａ）は、第１支点Ｖ１と相違する位置に形成されている。第２支点Ｖ２Ａは、第２給送ローラー４１の軸部４１１と、軸部材５３との略中央位置に配置されている。
【００７０】
第２支点Ｖ２Ａの位置には、軸部材５４が配置されている。第１支持部材５１の上下方向の中央部には、第４孔部５１４が形成されている。軸部材５４は、第４孔部５１４に挿通され、軸部材５３と平行に配置される。第２支持部材５２Ａは、軸部材５４（第２支点Ｖ２Ａ）を中心に回動する。第２付勢部材６２は、軸部材５４に挿通される。
【００７１】
図６に示す変形例では、第２支持部材５２Ａが第２支点Ｖ２Ａを中心に回動するため、第２支点Ｖ２Ａの位置を変更することによって、前捌きローラー４２の回動軌跡を変更できる。
【００７２】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（７））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であり、特に限定されるものではなく、本発明の構成から実質的に逸脱しない範囲で種々の変更が可能である。
【００７３】
（１）図１を参照して説明したように、画像形成装置１００は複合機であるが、本発明はこれに限定されない。画像形成装置がカラー複写機である形態でもよい。また、画像形成装置がモノクロ複写機である形態でもよい。
【００７４】
（２）図１〜図５を参照して説明したように、給送装置が原稿搬送ユニット３であるが、本発明はこれに限定されない。給送装置が、記録媒体を給送する形態であればよい。例えば、給送装置が、給送カセット１１である形態でもよい。また、例えば、給送装置が、手差し給紙ユニットである形態でもよい。
【００７５】
（３）図３を参照して説明したように、原稿搬送ユニット３は捌きパッド３２２を備えるが、本発明はこれに限定されない。原稿搬送ユニット３が、第１給送ローラー３２１に圧接され、記録媒体を捌く捌き部材を備える形態であればよい。例えば、原稿搬送ユニット３が、捌きパッド３２２に換えて、捌きローラーを備える形態でもよい。捌きローラーは、原稿Ｒとの接触位置で、捌きローラーの回転方向が給送方向の逆方向を向くように回転する。
【００７６】
（４）図３を参照して説明したように、原稿搬送ユニット３は第１給送ローラー３２１を備えるが、本発明はこれに限定されない。原稿搬送ユニット３が、記録媒体を給送する第１給送部材を備える形態であればよい。例えば、原稿搬送ユニット３が、第１給送ローラー３２１に換えて、無端ベルトを備える形態でもよい。
【００７７】
（５）図４を参照して説明したように、前捌きローラー４２が第２給送ローラー４１に従動して回転するが、本発明はこれに限定されない。前捌きローラー４２が記録媒体を捌くように回転する形態であればよい。例えば、前捌きローラー４２を駆動するモーターを備える形態でもよい。この形態では、第２給送ローラー４１と前捌きローラー４２とが離間して配置される。
【００７８】
（６）図４を参照して説明したように、第２給送ローラー４１の軸部４１１には、トルクリミッター４１２が配置されるが、本発明はこれに限定されない。第２給送ローラー４１が重送を抑制する形態であればよい。例えば、トルクリミッター４１２を備えない形態でもよい。この形態では、重送のときに、第２給送ローラー４１の回転速度が減少する。
【００７９】
（７）図５を参照して説明したように、枠体４４がレール７１に沿って出入自在であるが、本発明はこれに限定されない。枠体４４がフレーム７に配置されている形態であればよい。例えば、枠体４４がフレーム７に固定されている形態でもよい。具体的には、枠体４４がフレーム７にボルト止め又はビス止めされている形態でもよい。
【産業上の利用可能性】
【００８０】
本発明は、給送装置及び画像形成装置に関するものであり、産業上の利用可能性を有する。
【符号の説明】
【００８１】
１００    画像形成装置
１    画像形成ユニット
２    画像読取ユニット
３    原稿搬送ユニット（給送装置）
３１    ピックアップローラー
３２    給送部
３２１    第１給送ローラー（第１給送部材）
３２２    捌きパッド（捌き部材）
４１    第２給送ローラー
４１２    トルクリミッター
４２    前捌きローラー
４４    枠体
５１    第１支持部材
５２    第２支持部材
５３    軸部材
６１    第１付勢部材
６２    第２付勢部材
７    フレーム
７１    レール
Ｖ１    第１支点
Ｖ２    第２支点
【図１】
2017206336.tif 000003
【図２】
2017206336.tif 000004
【図３】
2017206336.tif 000005
【図４】
2017206336.tif 000006
【図５】
2017206336.tif 000007
【図６】
2017206336.tif 000008